(57)【要約】  入退室管理システムは、センター装置、複数のローカルコントローラを備える。各ローカルコントローラに、少なくとも一組の錠装置及び複数の認証装置が接続される。錠装置及び複数の認証装置は、通行を規制する扉毎に対応して設けられる。  センター装置は、レベル判定手段、レベル配信手段を備える。レベル判定手段は、扉毎にセキュリティレベルを判定する。レベル配信手段は、レベル判定手段が判定した情報を、ローカルコントローラに配信する。  各ローカルコントローラは、レベル設定手段、記憶手段、通行許可判定手段、錠制御手段を備える。レベル設定手段は、扉のセキュリティレベルを設定する。記憶手段には、通行許可条件が記憶される。通行許可判定手段は、通行者の通行許可条件が成立するか否かを判定する。錠制御手段は、通行許可条件が成立する場合に、扉の電気錠を解錠する。
2013098910.tif 000002
【特許請求の範囲】
【請求項１】
センター装置と、
通行を規制する扉毎に対応して設けられた錠装置及び複数の認証装置と、
前記センター装置に接続され、それぞれに、少なくとも一組の前記錠装置及び前記複数の認証装置が接続された複数のローカルコントローラと、
を備え、
前記センター装置は、
所定のレベル設定条件に基づいて、前記扉毎にセキュリティレベルを判定するレベル判定手段と、
前記レベル判定手段が判定したセキュリティレベルの情報を、対応の前記扉を管理する前記ローカルコントローラに配信するレベル配信手段と、
を備え、
前記各ローカルコントローラは、
前記レベル配信手段から配信された情報に基づいて、管理する前記扉のセキュリティレベルを設定するレベル設定手段と、
管理する前記扉のセキュリティレベル毎及び個人毎に、通行を許可するための通行許可条件が記憶された記憶手段と、
前記レベル設定手段が設定したセキュリティレベル及び前記認証装置の認証結果に基づいて、通行者の通行許可条件が成立するか否かを判定する通行許可判定手段と、
通行許可条件が成立すると前記通行許可判定手段によって判定された場合に、管理する前記扉の前記電気錠を解錠する錠制御手段と、
を備えた入退室管理システム。
【請求項２】
１つの前記ローカルコントローラに接続された前記複数の認証装置は、それぞれが、個人を特定することが可能な異なる認証方法によって認証を行う請求項１に記載の入退室管理システム。
【請求項３】
所定の異常を検出し、警報を出力する警報装置と、
を更に備え、
前記レベル判定手段は、通常時は、所定場所の前記扉のセキュリティレベルとして、所定の異常発生レベル以外のレベルを判定し、前記警報装置から警報が出力されると、前記所定場所の前記扉のセキュリティレベルとして、前記異常発生レベルを判定し、
前記所定場所の前記扉を管理する前記ローカルコントローラには、前記記憶手段に、前記異常発生レベルの時に、一部の個人の通行を所定の条件下許可し、前記一部の個人を除く他の個人の通行を許可しない通行許可条件が記憶された
請求項１又は請求項２に記載の入退室管理システム。
【請求項４】
災害の発生を検出する災害検出装置と、
を更に備え、
前記レベル判定手段は、前記災害検出装置によって災害の発生が検出されると、所定場所の前記扉のセキュリティレベルとして、所定の災害発生レベルを判定し、
前記所定場所の前記扉を管理する前記ローカルコントローラには、前記記憶手段に、前記災害発生レベルの時に、一部の個人の通行を所定の条件下許可し、前記一部の個人を除く他の個人の通行を許可しない通行許可条件が記憶され
前記所定場所を除く他の場所の前記扉を管理する前記ローカルコントローラでは、前記災害検出装置によって災害の発生が検出されると、前記錠制御手段が、管理する前記扉の前記電気錠を解錠する
請求項１又は請求項２に記載の入退室管理システム。
【発明の詳細な説明】
【技術分野】
【０００１】
この発明は、入退室管理システムに関するものである。
【背景技術】
【０００２】
下記特許文献１には、異常検出手段を備えた警備システムが提案されている。
特許文献１に記載された警備システムでは、異常が検出されると、セキュリティレベルが、通常時のセキュリティレベルよりも一段高いレベルに上げられる。例えば、上記警備システムが備えられた建物では、通常時、所定場所を通行する際に、ＩＤカードによる認証が要求される。異常が検出されると、上記所定場所を通行するために、ＩＤカードによる認証に加え、暗証番号による認証が要求される。【０００３】
下記特許文献２には、ネットワークに接続された端末装置の認証システムが提案されている。特許文献２に記載の認証システムでは、本人認証を行う方法を、時間（例えば、時間帯、日付、曜日等）によって変更している。
【先行技術文献】
【特許文献】
【０００４】
【特許文献１】日本特開平７−２４９１８２号公報
【特許文献２】日本特開２００４−３００７０号公報
【発明の概要】
【発明が解決しようとする課題】
【０００５】
入退室管理システムが備えられた建物では、通行を所定の人に制限したい場所に、錠装置付きの扉を設置している。建物内には上記扉が多数存在するが、従来では、セキュリティレベルの設定を上記扉毎に制御することができなかった。【０００６】
この発明は、上述のような課題を解決するためになされたもので、その目的は、通行を所定の人に制限したい場所に、錠装置付きの扉が設置されている建物において、セキュリティレベルの設定を、上記扉毎に適切に制御することができる入退室管理システムを提供することである。
【課題を解決するための手段】
【０００７】
この発明に係る入退室管理システムは、センター装置と、通行を規制する扉毎に対応して設けられた錠装置及び複数の認証装置と、センター装置に接続され、それぞれに、少なくとも一組の錠装置及び複数の認証装置が接続された複数のローカルコントローラと、を備え、センター装置は、所定のレベル設定条件に基づいて、扉毎にセキュリティレベルを判定するレベル判定手段と、レベル判定手段が判定したセキュリティレベルの情報を、対応の扉を管理するローカルコントローラに配信するレベル配信手段と、を備え、各ローカルコントローラは、レベル配信手段から配信された情報に基づいて、管理する扉のセキュリティレベルを設定するレベル設定手段と、管理する扉のセキュリティレベル毎及び個人毎に、通行を許可するための通行許可条件が記憶された記憶手段と、レベル設定手段が設定したセキュリティレベル及び認証装置の認証結果に基づいて、通行者の通行許可条件が成立するか否かを判定する通行許可判定手段と、通行許可条件が成立すると通行許可判定手段によって判定された場合に、管理する扉の電気錠を解錠する錠制御手段と、を備えたものである。
【発明の効果】
【０００８】
この発明に係る入退室管理システムであれば、通行を所定の人に制限したい場所に、錠装置付きの扉が設置されている建物において、セキュリティレベルの設定を、上記扉毎に適切に制御することができるようになる。
【図面の簡単な説明】
【０００９】
【図１】この発明の実施の形態１における入退室管理システムの概略を示す図である。
【図２】この発明の実施の形態１における入退室管理システムの構成を示す図である。
【図３】この発明の実施の形態１における入退室管理システムの動作を説明するための図である。
【図４】この発明の実施の形態１における入退室管理システムの動作を説明するための図である。
【図５】この発明の実施の形態２における入退室管理システムの要部の構成を示す図である。
【図６】この発明の実施の形態２における入退室管理システムの動作を説明するための図である。
【図７】この発明の実施の形態３における入退室管理システムの要部の構成を示す図である。
【図８】この発明の実施の形態３における入退室管理システムの動作を説明するための図である。
【発明を実施するための形態】
【００１０】
添付の図面を参照して、本発明を詳細に説明する。各図において、同一又は相当する部分には、同一の符号を付している。重複する説明については、適宜簡略化或いは省略する。
【００１１】
実施の形態１．
図１はこの発明の実施の形態１における入退室管理システムの概略を示す図である。図２はこの発明の実施の形態１における入退室管理システムの構成を示す図である。図３及び図４は、この発明の実施の形態１における入退室管理システムの動作を説明するための図である。
【００１２】
入退室管理システムは、センター装置１と複数のローカルコントローラ２とにより、要部が構成される。各ローカルコントローラ２は、所定の通信線３を介して、センター装置１に接続されている。また、ローカルコントローラ２は、通信線３を介して、相互に（他のローカルコントローラ２に）接続されている。
【００１３】
本入退室管理システムが備えられた建物（建物の全体又は一部、建物群）では、入退室を所定の人に制限したい部屋の出入口や、通行を所定の人に制限したい通路等に、錠装置４付きの扉５が設置されている。扉５は、所定場所の通行を規制するために備えられた扉である。建物内には、多数の扉５が存在する。錠装置４は、例えば、電気錠や電子錠からなる。
【００１４】
システム内のローカルコントローラ２は、扉５毎に備えられていても良いし、複数の扉５に対応して備えられていても良い。また、システム内の一部のローカルコントローラ２のみ、１つの扉５に対応して備えられ、他のローカルコントローラ２は、複数の扉５に対応して備えられていても良い。
以下においては、ローカルコントローラ２が扉５毎に備えられているものとして、具体的な説明を行う。
【００１５】
各ローカルコントローラ２には、上記錠装置４の他に、複数の認証装置６が接続されている。即ち、一つの扉５に対応して、一組の錠装置４及び複数の認証装置６が備えられている。上記複数の認証装置６は、対応の扉５の近傍（例えば、扉５に隣接する壁面等）に設置される。これら複数の認証装置６は、一つの装置として、対応の扉５の近傍に設置されていても良い。かかる場合、この装置には、複数の認証機能が備えられることになる。
【００１６】
認証装置６は、扉５を通行しようとしている人（通行者）が、扉５の通行を許可された人（通行許可者）であるか否かを判定する。認証装置６は、例えば、記憶手段７、入力手段８、認証手段９を備えている。
【００１７】
記憶手段７には、対応の扉５の通行を許可された人（通行許可者）の情報が、予め記憶されている。
入力手段８は、対応の扉５を通行しようとしている人が、所定の情報を入力するための機器からなる。
【００１８】
認証手段９は、入力手段８から情報が入力されると、入力された情報と記憶手段７に予め登録されている情報とを比較する。認証手段９は、入力手段８から入力された情報が、記憶手段７に登録されている情報の何れかと一致すれば、通行者が通行許可者であることを判定する。認証手段９は、入力された情報が既登録の情報と一致する場合、認証が成功した旨の情報（認証成功情報）を、対応のローカルコントローラ２に送信する。
【００１９】
一方、入力手段８から入力された情報が、記憶手段７に登録されている情報の何れにも一致しない場合、認証手段９は、通行者が通行許可者ではない（通行者が通行不許可者である）ことを判定する。認証手段９は、入力された情報が既登録の情報と一致しない場合、例えば、認証が失敗した旨の情報（認証失敗情報）を、対応のローカルコントローラ２に送信する。
【００２０】
本実施の形態では、１つのローカルコントローラ２に、認証方法が異なる複数の認証装置６が接続されている場合を一例として示している。１つのローカルコントローラ２に接続された複数の認証装置６は、それぞれが、個人を特定することが可能な所定の認証方法によって認証を行う。具体的に、本実施の形態では、認証装置６として、少なくともカードリーダ６ａと生体認証装置６ｂとを、ローカルコントローラ２に接続している。
【００２１】
カードリーダ６ａは、入力手段８として、例えば、所定のカードに記憶されたＩＤ番号を読み取るための読取器を備える。また、内部の記憶手段７に、通行許可者に割り当てられたＩＤ番号が予め記憶されている。認証手段９は、読取器が読み取ったＩＤ番号が、記憶手段７に登録されているＩＤ番号の何れかに一致すれば、その個人を特定する情報（個人特定情報）とともに、認証成功情報をローカルコントローラ２に送信する。
【００２２】
生体認証装置６ｂは、入力手段８として、例えば、指紋のパターン情報を読み取るための指紋読取器を備える。また、内部の記憶手段７に、通行許可者の指紋のパターン情報が予め記憶されている。認証手段９は、指紋読取器が読み取ったパターン情報が、記憶手段７に登録されているパターン情報の何れかに一致すれば、その個人の個人特定情報とともに、認証成功情報をローカルコントローラ２に送信する。
【００２３】
認証装置６として、他の認証方法を採用する機器が、ローカルコントローラ２に接続されていても構わない。また、３台以上の認証装置６が、ローカルコントローラ２に接続されていても構わない。
【００２４】
各ローカルコントローラ２は、情報制御手段１０、レベル設定手段１１、記憶手段１２、通行許可判定手段１３、錠制御手段１４を備えている。
情報制御手段１０は、ローカルコントローラ２において、情報の送受信を制御する。
【００２５】
レベル設定手段１１は、扉５のセキュリティレベルを設定する。ローカルコントローラ２が複数の扉５を管理する場合、レベル設定手段１１は、扉５毎にセキュリティレベルを設定する。即ち、ローカルコントローラ２が複数の扉５を管理する場合、一部の扉５に設定されたセキュリティレベルと、残りの扉５に設定されたセキュリティレベルとが異なっていても構わない。また、それぞれの扉５が異なるセキュリティレベルに設定されていても構わない。レベル設定手段１１は、例えば、センター装置１から配信された情報に基づいて、扉５のセキュリティレベルを設定する。
【００２６】
記憶手段１２には、扉５の通行を許可するための通行許可条件が記憶されている。記憶手段１２には、ローカルコントローラ２が管理する扉５のセキュリティレベル毎及び個人毎に、通行許可条件が登録されている。ローカルコントローラ２が複数の扉５を管理する場合、通行許可条件は、扉５毎に用意される。
下記表１は、記憶手段１２に記憶された通行許可条件の一例を示している。
【００２７】
【表１】
2013098910.tif 000003
【００２８】
表１に示す例では、扉５のセキュリティレベルは、５段階に設定される。即ち、レベル設定手段１１は、扉５のセキュリティレベルを、レベル１乃至レベル５の何れかに設定する。記憶手段１２には、各個人について、レベル設定手段１１が設定可能なセキュリティレベル毎に、通行許可条件が登録されている。
【００２９】
通行許可判定手段１３は、記憶手段１２に記憶されている通行者の通行許可条件が成立したか否か、即ち、通行者の通行を許可しても良いか否かを判定する。通行許可判定手段１３は、通行者が通行しようとしている扉５について、レベル設定手段１１が設定したセキュリティレベルと認証装置６の認証結果とに基づいて、上記判定を行う。
【００３０】
例えば、記憶手段１２に、所定の扉５の通行許可条件として、表１に示す内容が記憶されている場合を考える。
レベル設定手段１１によって当該扉５のセキュリティレベルがレベル１に設定されている場合、通行許可判定手段１３は、カードリーダ６ａから、個人Ａを示す個人特定情報とともに認証成功情報を受信した場合に、通行許可条件が成立した旨を判定する。通行許可判定手段１３は、カードリーダ６ａから、個人Ｂを示す個人特定情報とともに認証成功情報を受信しても、通行許可条件が成立した旨を判定しない。個人Ｂについては、生体認証装置６ｂから、個人Ｂを示す個人特定情報とともに認証成功情報を受信した場合に、通行許可条件が成立した旨を判定する。
【００３１】
また、レベル設定手段１１によって当該扉５のセキュリティレベルがレベル２に設定されている場合、通行許可判定手段１３は、カードリーダ６ａ或いは生体認証装置６ｂから、個人Ａを示す個人特定情報とともに認証成功情報を受信した場合に、通行許可条件が成立した旨を判定する。なお、個人Ｂについては、セキュリティレベル２の時の条件成立の設定がない。即ち、レベル設定手段１１によって当該扉５のセキュリティレベルがレベル２に設定されている場合、個人Ｂについては、通行許可条件は成立しない。
【００３２】
レベル設定手段１１によって当該扉５のセキュリティレベルがレベル４又は５に設定されている場合は、上記と同様の理由により、個人Ａ及び個人Ｂの双方について、通行許可条件は成立しない。
【００３３】
錠制御手段１４は、錠装置４を制御する。通常時、錠制御手段１４は、基本的に錠装置４を施錠し、扉５が開放されることを阻止する。また、錠制御装置１４は、通行許可条件が成立したことが通行許可判定手段１３によって判定されると、所定時間、対応の扉５の錠装置４を解錠する。ローカルコントローラ２が複数の扉５を管理する場合、錠制御手段１４は、通行許可条件が成立した扉５についてのみ、錠装置４を解錠する。
【００３４】
センター装置１は、各ローカルコントローラ２を管理する。
センター装置１は、入力手段１５、記憶手段１６、情報配信手段１７、レベル判定手段１８、レベル配信手段１９を備えている。
【００３５】
入力手段１５は、センター装置１に各種情報を入力するための機器からなる。
記憶手段１６には、本入退室管理システムで使用される各種情報が記憶されている。
【００３６】
情報配信手段１７は、各ローカルコントローラ２に、情報を配信する機能を有する。例えば、記憶手段７に認証のための情報を新たに登録したい人や、記憶手段１２に通行許可条件を新たに登録した人は、登録したい情報を入力手段１５から入力する。既に登録してある情報を変更したい人も、変更したい情報を入力手段１５から入力する。
【００３７】
入力手段１５から入力された、新規登録のため或いは更新のための情報は、記憶手段１６に記憶される。情報配信手段１７は、記憶手段１６の記憶内容に追加や変更が生じると、その情報を登録情報として、各ローカルコントローラ２に配信する。
【００３８】
各ローカルコントローラ２や各認証装置６では、情報制御手段１０が、センター装置１から登録情報を受信すると、その受信内容に基づいて、記憶手段１２や記憶手段７に記憶されている情報を更新する。ローカルコントローラ２や認証装置６において情報の更新が完了すると、情報制御手段１０は、情報の更新が完了した旨の情報（更新完了情報）を、センター装置１に送信する。センター装置１では、ローカルコントローラ２から更新完了情報を受信すると、例えば、情報の更新が完了したローカルコントローラ２の情報と更新が完了した旨の情報とを、所定の表示器１ａに表示させる。
【００３９】
レベル判定手段１８は、本入退室管理システムが管理する扉５毎に、セキュリティレベルを判定する機能を有する。レベル判定手段１８は、所定のレベル設定条件に基づいて、上記レベル判定を行う。レベル設定条件は、例えば、記憶手段１６に予め記憶されている。
【００４０】
レベル配信手段１９は、レベル判定手段１８が判定したセキュリティレベルの情報を、対応の扉５を管理するローカルコントローラ２に配信する。レベル判定手段１８が全ての扉５について同じセキュリティレベルを判定した場合、レベル配信手段１９は、センター装置１が管理する全てのローカルコントローラ２に対して、上記判定されたセキュリティレベルの情報を一斉配信する。
【００４１】
例えば、レベル判定手段１８が、セキュリティレベルの初期設定として、全ての扉５についてレベル１を判定した場合、レベル配信手段１９は、その旨のレベル設定要求ａ１を、各ローカルコントローラ２に一斉配信する（図３及び図４）。各ローカルコントローラ２では、情報制御手段１０が、センター装置１から上記レベル設定要求ａ１を受信すると、レベル設定手段１１が、管理する扉５のセキュリティレベルをレベル１に設定する。
【００４２】
レベル設定手段１１によるセキュリティレベルの設定が完了すると、情報制御手段１０は、レベル設定が完了した旨の情報（レベル設定完了情報）を、センター装置１に送信する。センター装置１では、ローカルコントローラ２からレベル設定完了情報を受信すると、例えば、レベル設定が完了した扉５の情報と設定が完了した旨の情報とを、表示器１ａに表示させる。
【００４３】
記憶手段１６には、扉５のセキュリティレベルが、例えば、時間や日付、曜日に基づいて適切に変更されるように、レベル設定条件が記憶されている。
例えば、夜間の所定の時間帯のセキュリティレベルが、他の時間帯のセキュリティレベルよりも高くなるように、レベル設定条件が設定される。かかる場合、レベル判定手段１８は、上記夜間の特定の時間帯になると、全ての扉５のセキュリティレベルとしてレベル２を判定する。
【００４４】
レベル配信手段１９は、レベル判定手段１８が判定したレベル２の情報（レベル変更要求ａ２）を、各ローカルコントローラ２に一斉配信する（図３）。各ローカルコントローラ２では、情報制御手段１０が上記レベル変更要求ａ２を受信すると、レベル設定手段１１が、管理する扉５のセキュリティレベルをレベル２に変更する。レベル設定手段１１によるセキュリティレベルの変更が完了すると、情報制御手段１０は、設定レベルの変更が完了した旨の情報（レベル変更完了情報）を、センター装置１に送信する。センター装置１では、ローカルコントローラ２からレベル変更完了情報を受信すると、例えば、設定レベルの変更が完了した扉５の情報と変更が完了した旨の情報とを、表示器１ａに表示させる。
【００４５】
他の例として、外部から多数の訪問者が来る特定の日のセキュリティレベルが、他の日のセキュリティレベルよりも高くなるように、レベル設定条件を設定しても良い。また、土曜日や日曜日のセキュリティレベルが、平日のセキュリティレベルよりも高くなるように、レベル設定条件を設定しても良い。
【００４６】
上記は、レベル判定手段１８が、全ての扉５について、セキュリティレベルの判定を行う場合の例である。レベル判定手段１８は、特定の扉５についてのみ、セキュリティレベルの判定を行っても良い。
【００４７】
例えば、特定の扉５については、夜間の所定の時間帯のセキュリティレベルが、他の時間帯のセキュリティレベルよりも高くなるように、レベル設定条件を設定する。かかる場合、レベル判定手段１８は、上記夜間の特定の時間帯になると、上記特定の扉５のセキュリティレベルとして、レベル２を判定する。この時、他の扉５のセキュリティレベルは、レベル１のままである。
【００４８】
レベル配信手段１９は、レベル判定手段１８が判定したレベル２の情報（レベル変更要求ａ３）を、上記特定の扉５を管理するローカルコントローラ２にのみ配信（個別配信）する（図４）。レベル変更要求ａ３を受信したローカルコントローラ２では、レベル設定手段１１が、管理する扉５のセキュリティレベルをレベル２に変更する。レベル設定手段１１によるセキュリティレベルの変更が完了すると、情報制御手段１０は、設定レベルの変更が完了した旨の情報（レベル変更完了情報）を、センター装置１に送信する。センター装置１では、ローカルコントローラ２からレベル変更完了情報を受信すると、例えば、設定レベルの変更が完了した扉５の情報と変更が完了した旨の情報とを、表示器１ａに表示させる。
【００４９】
上記構成を有する入退室管理システムであれば、通行を所定の人に制限したい場所に、錠装置４付きの扉５が設置されている建物において、セキュリティレベルの設定を、上記扉５毎に適切に制御することができるようになる。
【００５０】
本実施の形態では、各ローカルコントローラ２に接続されている複数の認証装置６が同じである場合について説明した。しかし、これは単に一例を示したものである。一部のローカルコントローラ２に接続されている認証装置６の認証方法が、他の認証装置６が採用する認証方法と異なっていても構わない。また、認証装置６が一つしか接続されていないローカルコントローラ２が、システム内に存在していても構わない。
【００５１】
実施の形態２．
図５はこの発明の実施の形態２における入退室管理システムの要部の構成を示す図である。図６はこの発明の実施の形態２における入退室管理システムの動作を説明するための図である。
【００５２】
本実施の形態における入退室管理システムでは、センター装置１に管理されている一部或いは全部のローカルコントローラ２に、警報装置２０が接続されている。警報装置２０は、所定の異常状態を検出し、ローカルコントローラ２に警報を出力する。例えば、警報装置２０は、扉５によって入退室が制限された部屋への不法侵入（不法侵入が想定される所定の現象）を検出すると、ローカルコントローラ２に警報を出力する。
【００５３】
ローカルコントローラ２では、警報装置２０から所定の警報を受信すると、情報制御手段１０が、警報を受信した旨の情報（警報受信情報ａ４）を、センター装置１に送信する（図６）。
【００５４】
上記構成を有する入退室管理システムでは、警報装置２０が所定の異常を検出した時のセキュリティレベル(以下、「異常発生レベル」ともいう)が予め設定されている。また、各ローカルコントローラ２の記憶手段１２には、異常発生レベルの時の通行許可条件が、個人毎に登録されている。
下記表２は、記憶手段１２に記憶された通行許可条件の一例を示している。表２は、異常発生レベルとしてレベル５が設定された時の通行許可条件を示している。
【００５５】
【表２】
2013098910.tif 000004
【００５６】
センター装置１では、通常時、例えば、レベル判定手段１８が、セキュリティレベルの初期設定として、全ての扉５についてレベル１を判定する。レベル配信手段１９は、レベル判定手段１８が判定したセキュリティレベルの情報を、レベル設定要求ａ１として各ローカルコントローラ２に一斉配信する（図６）。各ローカルコントローラ２では、情報制御手段１０が、センター装置１から上記レベル設定要求ａ１を受信すると、レベル設定手段１１が、管理する扉５のセキュリティレベルをレベル１に設定する。
【００５７】
また、センター装置１が警報受信情報ａ４をローカルコントローラ２から受信すると、レベル判定手段１８が、特定の扉５のセキュリティレベルとして、レベル５（異常発生レベル）を判定する。
【００５８】
なお、レベル判定手段１８は、通常時、レベル５（異常発生レベル）を判定しない。レベル判定手段１８は、警報装置２０によって所定の異常が検出された場合のみ、レベル５の判定を行う。また、レベル判定手段１８は、警報装置２０によって所定の異常が検出されると、特定場所の扉５についてのみ、レベル５の判定を行う。例えば、所定の部屋への不法侵入が警報装置２０によって検出された場合、レベル判定手段１８は、その部屋への出入りに関係する扉５についてのみ、セキュリティレベルとしてレベル５を判定する。この時、レベル判定手段１８がレベル５を判定する扉５は、１つであっても複数であっても良い。
【００５９】
レベル配信手段１９は、レベル判定手段１８が判定したレベル５の情報（レベル変更要求ａ５）を、上記特定場所の扉５を管理するローカルコントローラ２に配信する。ローカルコントローラ２では、情報制御手段１０が上記レベル変更要求ａ５を受信すると、レベル設定手段１１が、対応の扉５のセキュリティレベルをレベル５に変更する。レベル設定手段１１によるセキュリティレベルの変更が完了すると、情報制御手段１０は、設定レベルの変更が完了した旨の情報（レベル変更完了情報）を、センター装置１に送信する。センター装置１では、ローカルコントローラ２からレベル変更完了情報を受信すると、例えば、設定レベルの変更が完了した扉５の情報と変更が完了した旨の情報とを、表示器１ａに表示させる。
【００６０】
ローカルコントローラ２の記憶手段１２には、レベル５（異常発生レベル）の時に、一部の個人のみ、所定の条件下、扉５の通行を許可し、上記一部の個人を除く他の個人については、扉５の通行を許可しない通行許可条件が登録されている。
【００６１】
例えば、記憶手段１２に、所定の扉５の通行許可条件として、表２に示す内容が記憶されている場合を考える。
レベル設定手段１１によって当該扉５のセキュリティレベルがレベル５に設定されると、通行許可判定手段１３は、カードリーダ６ａから、警備員に割り当てられた個人特定情報とともに、認証成功情報を受信した場合に、通行許可条件が成立した旨を判定する。このように、レベル５において通行が許可される個人Ｂについては、例えば、通常時に設定され得るレベルの通行許可条件よりも条件が緩和されるように、レベル５の通行許可条件が設定される。また、社員（個人Ａ）については、レベル設定手段１１によって当該扉５のセキュリティレベルがレベル５に設定されると、通行許可条件は成立しない。
【００６２】
上記構成を有する入退室管理システムであれば、例えば、所定の部屋への不法侵入が発生した場合に、一部の人（例えば、警備員）は、通常よりも簡単な操作によって、上記所定の部屋に入ることができるようになる。上記一部の人以外の人（例えば、社員）については、扉５の通行ができなくなるため、例えば、社員が侵入者と鉢合わせするようなことを未然に防止することができる。また、侵入者の確保も容易となる。
【００６３】
本実施の形態において説明しない事項については、実施の形態１と同様である。
【００６４】
実施の形態３．
図７はこの発明の実施の形態３における入退室管理システムの要部の構成を示す図である。図８はこの発明の実施の形態３における入退室管理システムの動作を説明するための図である。
【００６５】
本実施の形態における入退室管理システムでは、センター装置１に、火災感知装置２１が接続されている。火災感知装置２１は、例えば、熱や煙を感知して、火災の発生を検出する。火災感知装置２１は、火災の発生を検出すると、火災発生情報をセンター装置１に出力する。
【００６６】
火災感知装置２１は、災害の発生を検出する装置（災害検出装置）の一例として示している。本システムに他の種類の災害検出装置が備えられている場合は、その災害検出装置から出力される災害発生情報に基づいて、本実施の形態における制御と同様の制御を実施すれば良い。
【００６７】
上記構成を有する入退室管理システムでは、火災感知装置２１が火災の発生を検出した時のセキュリティレベル（以下、「火災発生レベル」ともいう）が予め設定されている。特定のローカルコントローラ２の記憶手段１２には、火災発生レベルの時の通行許可条件が、個人毎に登録されている。なお、火災発生レベルの通行許可条件が記憶手段１２に登録されるローカルコントローラ２は、特定の場所（例えば、所定の部屋）への出入りに関係する扉５を管理する。
【００６８】
下記表３は、上記特定のローカルコントローラ２の記憶手段１２に記憶された通行許可条件の一例を示している。表３は、火災発生レベルとしてレベル５が設定された時の通行許可条件を示している。
【００６９】
【表３】
2013098910.tif 000005
【００７０】
センター装置１では、通常時、例えば、レベル判定手段１８が、セキュリティレベルの初期設定として、全ての扉５についてレベル１を判定する。レベル配信手段１９は、レベル判定手段１８が判定したセキュリティレベルの情報を、レベル設定要求ａ１として各ローカルコントローラ２に一斉配信する（図８）。各ローカルコントローラ２では、情報制御手段１０が、センター装置１から上記レベル設定要求ａ１を受信すると、レベル設定手段１１が、管理する扉５のセキュリティレベルをレベル１に設定する。
【００７１】
また、センター装置１は、火災感知装置２１から火災発生情報を受信すると、上記特定のローカルコントローラ２以外のローカルコントローラ２に、非常解錠要求ａ６を送信する。非常解錠要求ａ６は、建物内の人を建物の外に避難させるために発せられる信号である。即ち、センター装置１から非常解錠要求ａ６を受信したローカルコントローラ２では、錠制御装置１４が、管理する扉５の錠装置４を常時解錠（連続解錠）する。これにより、建物内の人は、これらの扉５を自由に通行できるようになる。
【００７２】
また、センター装置１では、火災感知装置２１から火災発生情報を受信すると、レベル判定手段１８が、上記特定場所の扉５のセキュリティレベルとして、レベル５（火災発生レベル）を判定する。
【００７３】
なお、レベル判定手段１８は、通常時、レベル５（火災発生レベル）を判定しない。レベル判定手段１８は、火災感知装置２１によって火災の発生が検出された場合のみ、レベル５の判定を行う。また、レベル判定手段１８は、火災感知装置２１によって火災の発生が検出されると、上記特定場所の扉５についてのみ、レベル５の判定を行う。上記特定場所は、例えば、銀行における金庫室やコンピュータ室２２等、火災が発生した際にも、入室を所定の人に制限しなければならないような場所に設定される。レベル判定手段１８がレベル５を判定する扉５は、１つであっても複数であっても良い。
【００７４】
レベル配信手段１９は、レベル判定手段１８が判定したレベル５の情報（レベル変更要求ａ７）を、上記特定場所の扉５を管理するローカルコントローラ２に配信する。ローカルコントローラ２では、情報制御手段１０が上記レベル変更要求ａ７を受信すると、レベル設定手段１１が、対応の扉５のセキュリティレベルをレベル５に変更する。レベル設定手段１１によるセキュリティレベルの変更が完了すると、情報制御手段１０は、設定レベルの変更が完了した旨の情報（レベル変更完了情報）を、センター装置１に送信する。センター装置１では、ローカルコントローラ２からレベル変更完了情報を受信すると、例えば、設定レベルの変更が完了した扉５の情報と変更が完了した旨の情報とを、表示器１ａに表示させる。
【００７５】
上記特定のローカルコントローラ２の記憶手段１２には、レベル５（火災発生レベル）の時に、一部の個人のみ、所定の条件下、扉５の通行を許可し、上記一部の個人を除く他の個人については、扉５の通行を許可しない通行許可条件が登録されている。
【００７６】
例えば、記憶手段１２に、所定の扉５の通行許可条件として、表３に示す内容が記憶されている場合を考える。
レベル設定手段１１によって当該扉５のセキュリティレベルがレベル５に設定されると、通行許可判定手段１３は、カードリーダ６ａから、個人Ａを示す個人特定情報とともに認証成功情報を受信した場合、或いは、生体認証装置６ｂから、個人Ａを示す個人特定情報とともに認証成功情報を受信した場合に、通行許可条件が成立した旨を判定する。このように、レベル５において通行が許可される個人Ａについては、例えば、通常時に設定され得るレベルの通行許可条件よりも条件が緩和されるように、レベル５の通行許可条件が設定される。また、個人Ｂについては、レベル設定手段１１によって当該扉５のセキュリティレベルがレベル５に設定されると、通行許可条件は成立しない。
【００７７】
上記構成を有する入退室管理システムであれば、建物内で火災が発生した場合に、一部の人については、通常よりも簡単な操作によって、上記特定場所から出ることができるようになる。また、上記一部の人以外の人については、扉５の通行ができなくなる。このため、火災発生時に、建物内の人の避難を優先させた上で、上記特定場所のセキュリティ性を確保することができる。
【００７８】
本実施の形態では、火災感知装置２１がセンター装置１に接続されている場合について説明した。しかし、これは単に一例を示したものである。火災感知器２１は、ローカルコントローラ２に接続されていても構わない。例えば、火災感知器２１が一部のローカルコントローラ２に接続されている場合、そのローカルコントローラ２は、火災感知装置２１から火災発生情報を受信すると、その旨の情報をセンター装置１に送信する。
【００７９】
本実施の形態において説明しない事項については、実施の形態１又は２と同様である。
【産業上の利用可能性】
【００８０】
この発明に係る入退室管理システムは、複数のローカルコントローラがセンター装置によって管理されるシステムに適用することができる。
【符号の説明】
【００８１】
１  センター装置
２  ローカルコントローラ
３  通信線
４  錠装置
５  扉
６  認証装置
６ａ  カードリーダ
６ｂ  生体認証装置
７、１２、１６  記憶手段
８、１５  入力手段
９  認証手段
１０  情報制御手段
１１  レベル設定手段
１３  通行許可判定手段
１４  錠制御手段
１７  情報配信手段
１８  レベル判定手段
１９  レベル配信手段
２０  警報装置
２１  火災感知装置
２２  金庫室又はコンピュータ室
【図１】
2013098910.tif 000006
【図２】
2013098910.tif 000007
【図３】
2013098910.tif 000008
【図４】
2013098910.tif 000009
【図５】
2013098910.tif 000010
【図６】
2013098910.tif 000011
【図７】
2013098910.tif 000012
【図８】
2013098910.tif 000013
【手続補正書】
【提出日】平成25年12月12日(2013.12.12)
【手続補正１】
【補正対象書類名】特許請求の範囲
【補正対象項目名】全文
【補正方法】変更
【補正の内容】
【特許請求の範囲】
【請求項１】
センター装置と、
通行を規制する扉毎に対応して設けられた錠装置及び複数の認証装置と、
前記センター装置に接続され、それぞれに、少なくとも一組の前記錠装置及び前記複数の認証装置が接続された複数のローカルコントローラと、
所定の異常を検出し、警報を出力する警報装置と、
を備え、
前記センター装置は、
所定のレベル設定条件に基づいて、前記扉毎にセキュリティレベルを判定するレベル判定手段と、
前記レベル判定手段が判定したセキュリティレベルの情報を、対応の前記扉を管理する前記ローカルコントローラに配信するレベル配信手段と、
を備え、
前記レベル判定手段は、通常時は、所定場所の前記扉のセキュリティレベルとして、所定の異常発生レベル以外のレベルを判定し、前記警報装置から警報が出力されると、前記所定場所の前記扉のセキュリティレベルとして、前記異常発生レベルを判定し、
前記各ローカルコントローラは、
前記レベル配信手段から配信された情報に基づいて、管理する前記扉のセキュリティレベルを設定するレベル設定手段と、
管理する前記扉のセキュリティレベル毎及び個人毎に、通行を許可するための通行許可条件が記憶された記憶手段と、
前記レベル設定手段が設定したセキュリティレベル及び前記認証装置の認証結果に基づいて、通行者の通行許可条件が成立するか否かを判定する通行許可判定手段と、
通行許可条件が成立すると前記通行許可判定手段によって判定された場合に、管理する前記扉の前記電気錠を解錠する錠制御手段と、
を備え、
前記所定場所の前記扉を管理する前記ローカルコントローラには、前記記憶手段に、前記異常発生レベルの時に、一部の個人の通行を所定の条件下許可し、前記一部の個人を除く他の個人の通行を許可しない通行許可条件が記憶された
入退室管理システム。
【請求項２】
１つの前記ローカルコントローラに接続された前記複数の認証装置は、それぞれが、個人を特定することが可能な異なる認証方法によって認証を行う請求項１に記載の入退室管理システム。
【手続補正２】
【補正対象書類名】明細書
【補正対象項目名】０００７
【補正方法】変更
【補正の内容】
【０００７】
この発明に係る入退室管理システムは、センター装置と、通行を規制する扉毎に対応して設けられた錠装置及び複数の認証装置と、センター装置に接続され、それぞれに、少なくとも一組の錠装置及び複数の認証装置が接続された複数のローカルコントローラと、所定の異常を検出し、警報を出力する警報装置と、を備え、センター装置は、所定のレベル設定条件に基づいて、扉毎にセキュリティレベルを判定するレベル判定手段と、レベル判定手段が判定したセキュリティレベルの情報を、対応の扉を管理するローカルコントローラに配信するレベル配信手段と、を備え、レベル判定手段は、通常時は、所定場所の扉のセキュリティレベルとして、所定の異常発生レベル以外のレベルを判定し、警報装置から警報が出力されると、所定場所の扉のセキュリティレベルとして、異常発生レベルを判定し、各ローカルコントローラは、レベル配信手段から配信された情報に基づいて、管理する扉のセキュリティレベルを設定するレベル設定手段と、管理する扉のセキュリティレベル毎及び個人毎に、通行を許可するための通行許可条件が記憶された記憶手段と、レベル設定手段が設定したセキュリティレベル及び認証装置の認証結果に基づいて、通行者の通行許可条件が成立するか否かを判定する通行許可判定手段と、通行許可条件が成立すると通行許可判定手段によって判定された場合に、管理する扉の電気錠を解錠する錠制御手段と、を備え、所定場所の扉を管理するローカルコントローラには、記憶手段に、異常発生レベルの時に、一部の個人の通行を所定の条件下許可し、一部の個人を除く他の個人の通行を許可しない通行許可条件が記憶されたものである。
【手続補正書】
【提出日】平成26年7月3日(2014.7.3)
【手続補正１】
【補正対象書類名】特許請求の範囲
【補正対象項目名】請求項１
【補正方法】変更
【補正の内容】
【請求項１】
センター装置と、
通行を規制する扉毎に対応して設けられた錠装置及び複数の認証装置と、
前記センター装置に接続され、それぞれに、少なくとも一組の前記錠装置及び前記複数の認証装置が接続された複数のローカルコントローラと、
所定の異常を検出し、警報を出力する警報装置と、
を備え、
前記センター装置は、
所定のレベル設定条件に基づいて、前記扉毎にセキュリティレベルを判定するレベル判定手段と、
前記レベル判定手段が判定したセキュリティレベルの情報を、対応の前記扉を管理する前記ローカルコントローラに配信するレベル配信手段と、
を備え、
前記レベル判定手段は、通常時は、所定場所の前記扉のセキュリティレベルとして、所定の異常発生レベル以外のレベルを判定し、前記警報装置から警報が出力されると、前記所定場所の前記扉のセキュリティレベルとして、前記異常発生レベルを判定し、
前記各ローカルコントローラは、
前記レベル配信手段から配信された情報に基づいて、管理する前記扉のセキュリティレベルを設定するレベル設定手段と、
管理する前記扉のセキュリティレベル毎及び個人毎に、通行を許可するための通行許可条件が記憶された記憶手段と、
前記レベル設定手段が設定したセキュリティレベル及び前記認証装置の認証結果に基づいて、通行者の通行許可条件が成立するか否かを判定する通行許可判定手段と、
通行許可条件が成立すると前記通行許可判定手段によって判定された場合に、管理する前記扉の前記錠装置を解錠する錠制御手段と、
を備え、
前記所定場所の前記扉を管理する前記ローカルコントローラには、前記記憶手段に、前記異常発生レベルの時に、一部の個人の通行を所定の条件下許可し、前記一部の個人を除く他の個人の通行を許可しない通行許可条件が記憶された
入退室管理システム。
【手続補正２】
【補正対象書類名】明細書
【補正対象項目名】０００７
【補正方法】変更
【補正の内容】
【０００７】
この発明に係る入退室管理システムは、センター装置と、通行を規制する扉毎に対応して設けられた錠装置及び複数の認証装置と、センター装置に接続され、それぞれに、少なくとも一組の錠装置及び複数の認証装置が接続された複数のローカルコントローラと、所定の異常を検出し、警報を出力する警報装置と、を備え、センター装置は、所定のレベル設定条件に基づいて、扉毎にセキュリティレベルを判定するレベル判定手段と、レベル判定手段が判定したセキュリティレベルの情報を、対応の扉を管理するローカルコントローラに配信するレベル配信手段と、を備え、レベル判定手段は、通常時は、所定場所の扉のセキュリティレベルとして、所定の異常発生レベル以外のレベルを判定し、警報装置から警報が出力されると、所定場所の扉のセキュリティレベルとして、異常発生レベルを判定し、各ローカルコントローラは、レベル配信手段から配信された情報に基づいて、管理する扉のセキュリティレベルを設定するレベル設定手段と、管理する扉のセキュリティレベル毎及び個人毎に、通行を許可するための通行許可条件が記憶された記憶手段と、レベル設定手段が設定したセキュリティレベル及び認証装置の認証結果に基づいて、通行者の通行許可条件が成立するか否かを判定する通行許可判定手段と、通行許可条件が成立すると通行許可判定手段によって判定された場合に、管理する扉の錠装置を解錠する錠制御手段と、を備え、所定場所の扉を管理するローカルコントローラには、記憶手段に、異常発生レベルの時に、一部の個人の通行を所定の条件下許可し、一部の個人を除く他の個人の通行を許可しない通行許可条件が記憶されたものである。
【手続補正書】
【提出日】平成26年11月14日(2014.11.14)
【手続補正１】
【補正対象書類名】特許請求の範囲
【補正対象項目名】請求項１
【補正方法】変更
【補正の内容】
【請求項１】
センター装置と、
通行を規制する扉毎に対応して設けられた錠装置及び複数の認証装置と、
前記センター装置に接続され、それぞれに、少なくとも一組の前記錠装置及び前記複数の認証装置が接続された複数のローカルコントローラと、
所定の異常を検出し、警報を出力する警報装置と、
を備え、
前記センター装置は、
所定のレベル設定条件に基づいて、前記扉毎にセキュリティレベルを判定するレベル判定手段と、
前記レベル判定手段が判定したセキュリティレベルの情報を、対応の前記扉を管理する前記ローカルコントローラに配信するレベル配信手段と、
を備え、
前記レベル判定手段は、通常時は、所定場所の前記扉のセキュリティレベルとして、所定の異常発生レベル以外のレベルを判定し、前記警報装置から警報が出力されると、前記所定場所の前記扉のセキュリティレベルとして、前記異常発生レベルを判定し、
前記各ローカルコントローラは、
前記レベル配信手段から配信された情報に基づいて、管理する前記扉のセキュリティレベルを設定するレベル設定手段と、
管理する前記扉のセキュリティレベル毎及び個人毎に、通行を許可するための通行許可条件が記憶された記憶手段と、
前記レベル設定手段が設定したセキュリティレベル及び前記認証装置の認証結果に基づいて、通行者の通行許可条件が成立するか否かを判定する通行許可判定手段と、
通行許可条件が成立すると前記通行許可判定手段によって判定された場合に、管理する前記扉の前記錠装置を解錠する錠制御手段と、
を備え、
前記所定場所の前記扉を管理する前記ローカルコントローラには、前記記憶手段に、前記異常発生レベルの時に一部の個人の通行のみを所定の条件下許可し且つ前記一部の個人を除く他の個人の通行を許可しない通行許可条件と、前記異常発生レベル以外のレベルの時に前記他の個人の通行を所定の条件下許可し且つ前記一部の個人の通行を許可しない通行許可条件とが記憶された
入退室管理システム。
【手続補正２】
【補正対象書類名】明細書
【補正対象項目名】０００７
【補正方法】変更
【補正の内容】
【０００７】
この発明に係る入退室管理システムは、センター装置と、通行を規制する扉毎に対応して設けられた錠装置及び複数の認証装置と、センター装置に接続され、それぞれに、少なくとも一組の錠装置及び複数の認証装置が接続された複数のローカルコントローラと、所定の異常を検出し、警報を出力する警報装置と、を備え、センター装置は、所定のレベル設定条件に基づいて、扉毎にセキュリティレベルを判定するレベル判定手段と、レベル判定手段が判定したセキュリティレベルの情報を、対応の扉を管理するローカルコントローラに配信するレベル配信手段と、を備え、レベル判定手段は、通常時は、所定場所の扉のセキュリティレベルとして、所定の異常発生レベル以外のレベルを判定し、警報装置から警報が出力されると、所定場所の扉のセキュリティレベルとして、異常発生レベルを判定し、各ローカルコントローラは、レベル配信手段から配信された情報に基づいて、管理する扉のセキュリティレベルを設定するレベル設定手段と、管理する扉のセキュリティレベル毎及び個人毎に、通行を許可するための通行許可条件が記憶された記憶手段と、レベル設定手段が設定したセキュリティレベル及び認証装置の認証結果に基づいて、通行者の通行許可条件が成立するか否かを判定する通行許可判定手段と、通行許可条件が成立すると通行許可判定手段によって判定された場合に、管理する扉の錠装置を解錠する錠制御手段と、を備え、所定場所の扉を管理するローカルコントローラには、記憶手段に、異常発生レベルの時に一部の個人の通行のみを所定の条件下許可し且つ一部の個人を除く他の個人の通行を許可しない通行許可条件と、異常発生レベル以外のレベルの時に他の個人の通行を所定の条件下許可し且つ一部の個人の通行を許可しない通行許可条件とが記憶されたものである。
【国際調査報告】
2013098910.tif 000014
2013098910.tif 000015